(57)【要約】【課題】特定の部屋内の換気を行えるとともに、特定の部屋内で発生した音の部屋外への透過量を少なくすることの可能な建物を提供する。【解決手段】本発明の建物は、特定の部屋（トイレ室５）と、特定の部屋内の空気を特定の部屋の外に排出するための排気手段３１と、特定の部屋と特定の部屋以外の建物内部又は建物外部とが床下空間３５経由又は天井裏空間経由で繋がれた空気流通経路６０と、特定の部屋への人の出入口４１を経由して隣り合う特定の部屋と特定の部屋以外の建物内部との間の空気の流通を遮断する遮断手段４５とを備えた。【選択図】図１
2008088774.tif 000002
【特許請求の範囲】
【請求項１】
特定の部屋と、特定の部屋内の空気を特定の部屋の外に排出するための排気手段と、特定の部屋と特定の部屋以外の建物内部又は建物外部とが床下空間経由又は天井裏空間経由で繋がれた空気流通経路と、特定の部屋への人の出入口を経由して隣り合う特定の部屋と特定の部屋以外の建物内部との間の空気の流通を遮断する遮断手段とを備えたことを特徴とする建物。
【請求項２】
空気流通経路が、特定の部屋以外の建物内と床下空間とに通じる空気取込孔と、床下空間と、床下空間と特定の部屋内とに通じる空気供給孔とにより形成されたことを特徴とする請求項１に記載の建物。
【請求項３】
空気取込孔が、特定の部屋以外の床板の端面と壁との間に設けられた隙間により形成されたことを特徴とする請求項２に記載の建物。
【請求項４】
空気供給孔が、特定の部屋の床板の端面と壁との間に設けられた隙間により形成されたことを特徴とする請求項２又は請求項３に記載の建物。
【請求項５】
特定の部屋が、トイレ室であることを特徴とする請求項１乃至請求項４のいずれかに記載の建物。
【発明の詳細な説明】
【技術分野】
【０００１】
この発明は、特定の部屋内の換気を行えるとともに、特定の部屋内で発生した音の部屋外への透過量を少なくすることの可能な建物に関する。
【背景技術】
【０００２】
トイレ室の出入口のドアの下部に換気のための空気流通口（アンダーカット）が設けられた構成の建物が知られている。
【特許文献１】特開２０００−１４５１８０号公報
【発明の開示】
【発明が解決しようとする課題】
【０００３】
しかしながら、上述した建物では、トイレ室内で発生した音が空気流通口を経由して部屋外へ伝播してしまうという課題があった。
【課題を解決するための手段】
【０００４】
本発明による建物は、特定の部屋と、特定の部屋内の空気を特定の部屋の外に排出するための排気手段と、特定の部屋と特定の部屋以外の建物内部又は建物外部とが床下空間経由又は天井裏空間経由で繋がれた空気流通経路と、特定の部屋への人の出入口を経由して隣り合う特定の部屋と特定の部屋以外の建物内部との間の空気の流通を遮断する遮断手段とを備えたことを特徴とする。
空気流通経路が、特定の部屋以外の建物内と床下空間とに通じる空気取込孔と、床下空間と、床下空間と特定の部屋内とに通じる空気供給孔とにより形成されたことも特徴とする。
空気取込孔が、特定の部屋以外の床板の端面と壁との間に設けられた隙間により形成されたことも特徴とする。
空気供給孔が、特定の部屋の床板の端面と壁との間に設けられた隙間により形成されたことも特徴とする。
特定の部屋が、トイレ室であることも特徴とする。
【発明の効果】
【０００５】
本発明によれば、排気手段と空気流通経路とを備えたので、特定の部屋以外の建物内部から空気流通経路を経由して特定の部屋内に空気を供給できるため、特定の部屋内の換気を行えるとともに、特定の部屋への人の出入口を経由して隣り合う特定の部屋と特定の部屋以外の建物内部との間の空気の流通を遮断する遮断手段を備えたので、特定の部屋内で発生した音の部屋外への透過量を少なくできる。
空気流通経路が空気取込孔と床下空間と空気供給孔とにより形成されたので、例えば床を施工した後において床板にドリルで貫通孔をあけることによって空気取込孔や空気供給孔を容易に形成でき、施工が容易となる。
空気取込孔が、特定の部屋以外の床板の端面と壁との間に設けられた隙間により形成されたので、床板の端面と壁とが縁の切れた状態とでき、床板の端面と壁とが接触することによるこすれ音の発生をなくすことができる。
空気供給孔が、特定の部屋の床板の端面と壁との間に設けられた隙間により形成されたので、床板の端面と壁とが縁の切れた状態とでき、床板の端面と壁とが接触することによるこすれ音の発生をなくすことができる。
特定の部屋をトイレ室とすることで、トイレ室の室内で発生した音のトイレ室外への透過量を少なくできる。
【発明を実施するための最良の形態】
【０００６】
最良の形態１
図１；図２は本発明による建物の最良の形態１を示し、図１は建物としてのマンション（集合住宅）における一戸を断面（図２のＡ−Ａ断面に相当）で示し、図２は一戸の平面図（間取り）を示す。
【０００７】
図１において、１は床、２は戸境壁、４は天井、５はトイレ室、６は廊下、７は居室（洋室）である。
図２において、ａは玄関、ｂは納戸、ｃは浴室、ｄは居室（和室）、ｅはリビングダイニング、ｆはベランダ、２Ａは戸前廊下側の区画壁、２Ｂはベランダ側の区画壁、２１乃至２６は間仕切り壁である。
【０００８】
床１は二重床に形成される。二重床は、床スラブ１１と、床スラブ１１上に固定されて配置された複数の床支持具１２と、複数の床支持具１２に固定されて敷設された複数の床材１３とで形成される。尚、図２に示すように、床１の床板１３の端面と一戸の室内を区画する戸境壁２や区画壁２Ａや区画壁２Ｂの内面との間に、隙間Ｓ分の幅で室内と床下空間とに貫通する空間（図２においてハッチングで示した部分）が設けられた構成を備えたので、床板１３の端面と壁とが縁の切れた状態とでき、床板１３の端面と壁とが接触することによるこすれ音の発生をなくすことができる。尚、隙間Ｓの幅は例えば３ｍｍ程度である。
床支持具１２は、例えば上部に床材１３を取付けるための台座１２ａを有する支柱１２ｂを有し、かつこの支柱１２ｂの下部を支持する支承部を有して床スラブ１１面に設置されるクッション部材から成る座部１２ｃを有するものである。
【０００９】
天井４は、天井スラブ１５と、天井仕上げボード１６と、天井仕上げボード１６を天井スラブ１５より吊下げるように取付ける取付具１７とで形成される。取付具１７は、例えば、天井スラブ１５に吊下げられた吊りボルト、吊りボルトに取り付けられたハンガー、ハンガーに支持された野縁受け、野縁受けに取り付けられた野縁とにより構成される。
廊下６と特定の部屋としてのトイレ室５とが間仕切り壁２１により仕切られ、廊下６と特定の部屋以外の部屋としての居室７とが間仕切り壁２２により仕切られる。
【００１０】
トイレ室５は、図外のトイレ設備の他に、排気手段３１と空気供給孔３２とを備える。
排気手段３１は、例えば換気扇のような排気装置３１Ａにより形成される。排気装置３１Ａによってトイレ室５より排出された空気は、天井裏空間３３を経由して戸外に通じる図外の排気孔より戸外に排出される。
空気供給孔３２は、トイレ室５の室内とトイレ室５の床下空間３５とに跨って貫通する。空気供給孔３２は、例えばトイレ室５の床板１３の端面１３Ａが戸境壁２の内面２Ａより離れて設置されたことによって床板１３の端面１３Ａと戸境壁２の内面２Ａとの間に設けられた隙間Ｓにより形成される。よって、隙間Ｓが空気供給孔３２として機能するとともに、隙間Ｓにより、床板１３の端面１３Ａと戸境壁２の内面２Ａとが縁の切れた状態となるので、床板１３の端面１３Ａと戸境壁２の内面２Ａとが接触することによるこすれ音の発生をなくすことができる。また、床板１３にドリルなどで孔を形成することなく空気供給孔３２を形成できるので、空気供給孔３２の形成作業が容易となり、かつ、床１の見栄えをよくできる。
【００１１】
トイレ室５への人の出入口４１は、開口部４２と建具枠と建具と遮断手段４５とにより構成される。例えば、間仕切り壁２１に形成された開口部４２と、開口部４２の周縁に設けられた建具枠としてのドア枠４３と、ドア枠４３に開閉可能に設けられた建具としてのドア４４と、ドア４４が閉じられた場合に開口部４２を経由するトイレ室５の室内と廊下６との間の空気の流通を遮断する遮断手段４５とを備える。遮断手段４５は、例えば、閉じられたドア４４のトイレ室５側の面の周縁と、この周縁と気密状態を維持して接触するようにドア枠４３の周縁に設けられたゴム４６とにより構成される。よって、ドア４４が閉じられた場合に、遮断手段４５によって開口部４２を経由するトイレ室５の室内と廊下６との間の空気の流通が遮断される。
尚、開口部４２を経由するトイレ室５の室内と廊下６との間の空気の流通経路が遮断手段４５により遮断された場合、トイレ室５に対する空気の流通は、空気供給孔３２と排気装置３１Ａの取付孔とを介してのみ可能である。
【００１２】
トイレ室５以外の部屋、即ち、特定の部屋以外の部屋（特定の部屋以外の建物内部）としての居室７、納戸ｂ、居室（和室）ｄ、リビングダイニングｅは、空気取込孔５１を備える。空気取込孔５１は、特定の部屋以外の部屋の室内と床下空間３５とに跨って貫通する。空気取込孔５１は、例えば特定の部屋以外の部屋の床板１３の端面１３Ａが壁２や２Ａや２Ｂの内面２Ａより離れて設置されたことによって床板１３の端面１３Ａと壁の内面２Ａとの間に設けられた隙間Ｓにより形成される。よって、隙間Ｓが空気取込孔５１として機能するとともに、隙間Ｓにより、床板１３の端面１３Ａと壁の内面２Ａとが縁の切れた状態となるので、床板１３の端面１３Ａと壁の内面２Ａとが接触することによるこすれ音の発生をなくすことができる。また、床板１３にドリルなどで孔を形成することなく空気取込孔５１を形成できるので、空気取込孔５１の形成作業が容易となり、かつ、床１の見栄えをよくできる。
【００１３】
最良の形態１によれば、遮断手段４５が、開口部４２を経由するトイレ室５の室内と廊下６との間の空気の流通経路を遮断することにより、アンダーカットのような物理的な開口部がなくなって、遮音性能が向上するので、トイレ室５の室内で発生した音の廊下６への透過量を少なくできるとともに、開口部４２を経由するトイレ室５の室内と廊下６との間の空気の流通経路が遮断手段４５により遮断された場合でも、排気装置３１Ａの駆動によりトイレ室５の室内が負圧になると、特定の部屋以外の部屋としての居室７、納戸ｂ、居室（和室）ｄ、リビングダイニングｅの室内から空気が、空気取込孔５１、床下空間３５、空気供給孔３２により形成される空気流通経路６０を経由してトイレ室５の室内に供給されるため、トイレ室５の換気を効率的に行える。
【００１４】
つまり、従来は、トイレ室の出入口のドアの下部に換気のための空気流通口（アンダーカット）を設けていたので、ドアが閉められた場合でも、当該空気流通口を経由してトイレ室の室内で発生した音が空気流通口を経由して廊下に伝播してしまったが、最良の形態１によれば、遮断手段４５を備えたので、トイレ室５の室内で発生した音の廊下６への透過量を少なくできるとともに、排気装置３１Ａと空気流通経路６０とを備えたので、トイレ室５の室内の換気を効率的に行えるという効果が得られる。
【００１５】
尚、空気取込孔５１は、特定の部屋以外の建物内部の１つ以上の区画領域から床下空間１３に通じるように設ければよい。例えば、床下空間１３と特定の部屋以外の建物内部としての廊下６とに跨って貫通する空気取込孔５１のみを設けるようにしてもよい。
【００１６】
最良の形態２
床板１３にドリルで貫通孔をあけることにより空気取込孔５１や空気供給孔３２を形成してもよい。この場合、床１を施工した後において床板１３にドリルで孔をあけることにより空気取込孔５１や空気供給孔３２を容易に形成できるので、施工が容易となる。また、空気取込孔５１や空気供給孔３２の形成場所を自由に決めることができる。
【００１７】
最良の形態３
間仕切り壁を施工した後に床を施工する場合には、図３に示すように、床下空間１３に位置する間仕切り壁２２の下部に貫通孔６１を形成することによって、空気取込孔５１、床下空間３５、貫通孔６１、空気供給孔３２からなる空気流通経路６０を形成すればよい。この場合、床板１３の端面１３Ａと間仕切り壁２２との間を離した隙間Ｓにより、間仕切り壁２２側にも間仕切り壁２２に沿った空気取込孔５１及び空気供給孔３２を形成する。
【００１８】
最良の形態４
図４に示すように、壁際の床板１３を支持する際根太６２と呼ばれる根太を用いた場合には、空気取込孔５１及び空気供給孔３２は、際根太６２の位置する部分を避けて床板１３に形成した貫通孔により形成すればよい。
【産業上の利用可能性】
【００１９】
本発明は、一般的な木造住宅にも適用できる。つまり、特定の部屋の床板に床下空間に通じる空気供給孔３２を形成し、特定の部屋以外の部分の床板に床下空間に通じる空気取込孔５１を形成し、特定の部屋の出入口に遮断手段４５を設ければよい。
【００２０】
空気供給孔３２は、床下空間から床板及び間仕切り壁を経由して特定の部屋の間仕切り壁から特定の部屋の室内に通じる孔により形成してもよい。
【００２１】
空気取込孔５１と空気供給孔３２とを天井仕上げボード１６に形成し、空気取込孔５１と天井裏空間と空気供給孔３２とにより空気流通経路６０を形成してもよい。
【００２２】
特定の部屋に設けた排気手段３１と、建物の外壁に形成されて建物外部と床下空間又は天井裏空間とに跨って貫通する空気取込孔５１と、特定の部屋と床下空間又は天井裏空間とに跨って貫通する空気供給孔３２と、遮断手段４５とを備えた構成としてもよい。この場合でも、建物外部から空気流通経路６０を経由して特定の部屋に空気が供給されて特定の部屋の換気を行えるとともに、特定の部屋の室内で発生した音の部屋外への透過量を少なくできるという効果が得られる。
【００２３】
尚、特定の部屋は、トイレ室５以外の、例えば、居間、洗濯室、子供部屋などの部屋でもよい。
【図面の簡単な説明】
【００２４】
【図１】マンションの一戸を示す断面図（最良の形態１）。
【図２】マンションの一戸を示す平面図（最良の形態１）。
【図３】マンションの一戸を示す断面図（最良の形態３）。
【図４】マンションの一戸を示す断面図（最良の形態４）。
【符号の説明】
【００２５】
１  床、２  戸境壁（壁）、２Ａ；２Ｂ  区画壁（壁）、
５  トイレ室（特定の部屋）、１３  床板、１３Ａ  床板の端面、
２２  間仕切り壁２２（壁）、３１  排気手段、３２  空気供給孔、
３５  床下空間、４１  出入口、４５  遮断手段、５１  空気取込孔、
６０  空気流通経路、Ｓ  隙間。
【図１】
2008088774.tif 000003
【図２】
2008088774.tif 000004
【図３】
2008088774.tif 000005
【図４】
2008088774.tif 000006